(57)【要約】【課題】対面接客や訪問販売などにおいて、セールス担当者と顧客が、それぞれ表示画面を見やすく、表示パネルを有効利用できる携帯コンピュータおよび携帯表示装置などの情報処理装置を提供する。【解決手段】第１の表示部と第２の表示部を設け、第２の表示部を着脱可能とし、第１の表示部と第２の表示部を対向する側に設置可能にするとともに、お互い自由な位置関係にもできるようにする。表示データに属性値を付加することにより、第１の表示部と第２の表示部に、同じ情報や異なる情報を表示できるようにする。【選択図】  図２
2004164109.tif 000002
【特許請求の範囲】
【請求項１】
第１の表示部と第２の表示部を有する情報処理装置であって、第２の表示部は着脱可能であり、第１の表示部と第２の表示部は、対向する側に設置可能な情報処理装置。
【請求項２】
第１の表示部と第２の表示部に表示する情報が異なる請求項１記載の情報処理装置。
【請求項３】
属性値を有する１以上の情報を格納している情報格納部をさらに具備し、前記属性値に基づいて第１の表示部と第２の表示部の少なくとも一方に当該情報を表示する請求項２記載の情報処理装置。
【請求項４】
請求項１から請求項３いずれか記載の情報処理装置を構成する第２の表示部を有する携帯表示装置。
【請求項５】
第１の情報処理装置と第２の情報処理装置を有する情報処理装置であって、
前記第１の情報処理装置は、
情報を格納している情報格納部と、前記情報の一部又は全部を表示する第１の表示部と、情報の一部又は全部を前記第２の情報処理装置に送信する第１の通信部を具備し、
前記第２の情報処理装置は、
前記第１の情報処理装置から情報を受信する第２の通信部と、前記受信した情報を表示する第２の表示部を具備し、
前記第１の表示部と前記第２の表示部が表示する情報が異なる情報処理装置。
【請求項６】
前記情報格納部は、属性値を有する１以上の情報を格納しており、前記第１の表示部と前記第２の表示部は前記属性値に基づいて情報を表示する請求項５記載の情報処理装置。
【請求項７】
請求項５又は６いずれか記載の情報処理装置を構成する第１の情報処理装置。
【請求項８】
請求項５又は６いずれか記載の情報処理装置を構成する第２の情報処理装置。
【発明の詳細な説明】
【０００１】
【発明の属する技術分野】
本発明は、例えば、セールス担当者が顧客と商談し易く、顧客も商談を理解しやすくできる情報処理装置等に関する。
【０００２】
【従来の技術】
従来、店頭での商談や家庭訪問における商談などにおいてノートパソコンなどの携帯コンピュータを使用し、液晶パネルに商品を表示して商品説明が行われている。従来のノートパソコンには、液晶表示パネルが１枚しかないので、セールス担当者と顧客が対面する位置に座ると、２人の内、一方しか表示を見ることができず、円滑な説明がしにくかった。このような課題を解決するものとして、一つの液晶表示面を水平に配置して、通常の画面と、その画面を上下逆にした画面とを同時に表示して、対面する２人が、それぞれの画面を見ることができるようにしたものがある（例えば、特許文献１参照。）。また、携帯型コンピュータに２つの液晶タッチパネルを取り付け、一方の液晶タッチパネルの角度を調整可能とすることにより、情報提供者と被提供者が決まった位置関係になくともそれぞれ良好に画面を見ることができるようにしたものがある（例えば、特許文献２参照。）。
【特許文献１】
特開平５−１９７５０７号公報（第８−９頁、図７）
【特許文献２】
特開２０００−２１４９４７号公報（第４頁、図１）
【０００３】
【発明が解決しようとする課題】
しかしながら、特許文献１に記載されている従来技術は、一つの表示画面に２つの表示を行なうため、画面が狭くなり、特許文献２に記載されている従来技術は、表示パネルを２枚備えた携帯型コンピュータであるので、帰社して一人で使用する場合は、１枚の表示パネルが無駄になることもあるなどの課題があった。
【０００４】
【課題を解決するための手段】
上記の課題を解決するために、本発明の情報処理装置は、以下のような手段を採用する。
【０００５】
（１）第１の表示部と第２の表示部を有する情報処理装置の第２の表示部は着脱可能であり、第１の表示部と第２の表示部は、対向する側に設置可能な情報処理装置とすることにより、セールス担当者と顧客など２人の位置関係の制約を無くし、１人で使用する場合は、第２の表示部なしでも使用できる。
【０００６】
（２）第１の表示部と第２の表示部に表示する情報が異なるようにできるので商談をやり易くできる。具体的には、例えば、顧客が見る第２の表示部には、企業側の機密情報が出力されない。
【０００７】
（３）属性値を有する１以上の情報を格納している情報格納部をさらに具備し、前記属性値に基づいて第１の表示部と第２の表示部の少なくとも一方に当該情報を表示することにより、異なる情報の表示が行なえるようになる。
【０００８】
（４）第１の情報処理装置と第２の情報処理装置を有する情報処理装置であって、第１の情報処理装置は、情報を格納している情報格納部と、情報の一部又は全部を表示する第１の表示部と、情報の一部又は全部を前記第２の情報処理装置に送信する通信部を具備し、第２の情報処理装置は、第１の情報処理装置から情報を受信する通信部と、受信した情報を表示する第２の表示部を具備し、第１の表示部と第２の表示部が表示する情報が異なる情報処理装置とすることにより、第１の情報処理装置と第２の情報処理装置を別筐体にでき、商談などがやり易い情報処理装置になる。
【０００９】
（５）情報格納部は、属性値を有する１以上の情報を格納しており、第１の表示部と第２の表示部は属性値に基づいて情報を表示するので、異なる情報の表示が行なえるようになる。
【００１０】
なお、上記において、第１の表示部と第２の表示部が属性値に基づいて情報を表示するとは、情報がビットマップ形式の表示情報であれば、その情報の表示を行なう。情報がビットマップ形式に展開する前であれば、そのような展開を行なって表示する、例えば、情報が表示画面を作成するための表示制御情報であれば、表示制御情報から表示に適したデータ形式にして表示することを含む。表示制御情報とは、例えば、図形を描くためのグラフィックスデータ等がある。また、情報が表示制御情報になる前の、表示用のデータ、例えば、表に使用する数値データである場合は、そのデータを表示用の形式に変換した後、表示することも含む。
【００１１】
【発明の実施の形態】
以下、本発明の情報処理装置および携帯表示装置等の実施形態について図面を参照して説明する。なお、実施の形態において同じ符号を付した構成要素は同様の動作を行うので、再度の説明を省略する場合がある。
【００１２】
（実施の形態１）
図１は、本発明の情報処理装置である携帯コンピュータの外観図である。携帯コンピュータは、第１の情報処理装置である携帯コンピュータ本体１００と、第２の情報処理装置である携帯表示装置２００より成る。携帯コンピュータ本体１００は、コンピュータ基体部１、キーボード２、表示部筐体３、表示パネル４などより成る。表示部筐体３、表示パネル４は第１の表示部を構成する。携帯表示装置２００は、表示パネル６を収納した筐体５、筐体５を表示部筐体３に取り付ける着脱部材７などより成る。筐体５と表示パネル６は、第２の表示部を構成する。また、筐体５の下部には、支持棒８が設けられ、ヒンジ９により回転可能になっている。図１では、表示部筐体３と筐体５の上部が、着脱部材７により結合されており、表示パネル４と６とは、互いに反対方向を向いている。セールス担当者は、表示パネル４を見ることができ、顧客は、表示パネル６を見ることができる。
【００１３】
図２は、着脱部材７による結合を解いた場合の配置例である。携帯コンピュータ本体１００に対して、携帯表示装置２００は、９０度の角度に配置されている。携帯表示装置２００を、斜めに立てるために、支持棒８が開いた位置に固定されている。携帯表示装置２００の角度は、支持棒８の角度を調節することにより、見やすい角度にできる。このようにすれば、セールス担当者と顧客が、机の角などで、互いに直角の位置を取った場合にも、それぞれが、良好な画面を見ることができる。支持棒８は、筐体５の左右に設けてもよいし、中央部に一個設けてもよい。
【００１４】
図３は、着脱部材７の一例である。表示部筐体３の上部枠に、球状の空洞部１０を有する穴を設ける。筐体５の上部には、突起部を設ける。突起部は、円柱部１２と球体部１１より成る。球体部１１は、空洞部１０より小さく、空洞部１０に容易に勘合し、引き抜くことができる大きさとする。球体部１１、円柱部１２共に、柔らかいプラスチック材料で作る。空洞部１０に突起部の球体部１１を勘合させると、携帯表示装置２００を、図１のように、携帯コンピュータ本体１００に取り付けることができる。突起部が柔らかいので、２つの表示パネル４、６の間の角度を自由に変えることができる。突起部を空洞部１０から引き抜けば、携帯コンピュータ本体１００と携帯表示装置２００を分離でき、図２のような設置も行なえる。
【００１５】
突起部と空洞部１０は、表示部筐体３と筐体５のそれぞれ上部の左右両端に各１個ずつ設ける。２個とも勘合すれば、図１のような配置が取れる。片側１個のみ勘合して、表示パネル４と６が互いに自由な角度を取るようにもできる。また、突起部と空洞部１０を、表示部筐体３と筐体５のそれぞれ上部中央部に１個だけ設けてもよい。球体部１１と円柱部１２の内部を空洞にすれば、突起部は更に柔軟になり、挿入、抜去、配置角度の調節が容易になる。
【００１６】
脱着部材７としては、単純なフック、抜き差しできるヒンジなど、種々の構成が採用できる。例えば、表示部筐体３の左右上部に、フックを引っかける小さなリングを取り付け、筐体５の左右上部に、リングに引っかけるフックを設けるようにしてもよい。
【００１７】
携帯コンピュータ本体１００と携帯表示装置２００との間の情報のやり取りは、後述するように、コネクタとケーブルを用いて行なう方法や、赤外線通信による方法、電波を用いた無線通信による方法を適用すればよい。
【００１８】
図４は、本発明の情報処理装置のブロック図である。図４において、情報処理装置は、第１の情報処理装置である携帯コンピュータ本体２０と、第２の情報処理装置である携帯表示装置３０により構成される。携帯コンピュータ本体２０は、プログラム処理部２１、ビデオメモリ２４、グラフィックス制御部２５、表示ドライバ２６、第１の表示部である液晶表示部２７、通信部２３、インターネットインタフェース２２を備える。携帯表示装置３０は、通信部３３、ビデオメモリ３４、グラフィックス制御部３５、表示ドライバ３６、第２の表示部である液晶表示部３７を備える。なお、第１の情報処理装置である携帯コンピュータ本体２０側の通信部２３は、適宜、第１の通信部という。また、第２の情報処理装置である携帯表示装置３０側の通信部３３は、適宜、第２の通信部という。
【００１９】
プログラム処理部２１は、内部にＣＰＵ、ＲＯＭ、ＲＡＭ、ＨＤＤ、ＣＤ−ＲＯＭ装置、ＦＤＤ、キーボード、マウスを備えた周知のコンピュータシステムである。ＨＤＤ、ＣＤ−ＲＯＭ、ＦＤＤのいずれかの内部に記憶したプログラムとデータを用いて、種々の情報処理を行なえる。
【００２０】
プログラム処理部２１の情報処理によって作成された第１の表示制御情報は、グラフィックス制御部２５に渡される。グラフィックス制御部２５は、受け取った表示制御情報をビットマップ形式の表示情報に変換し、ビデオメモリ２４に格納し、ビデオメモリ２４から読み出して、表示ドライバ２６に送る。表示ドライバ２６は、ビットマップ形式の表示情報を液晶表示部２７用の信号に変換して液晶表示部２７に供給する。液晶表示部２７は、ビットマップ形式の表示情報を表示する。
【００２１】
プログラム処理部２１で情報処理によって作成された第２の表示制御情報は、通信部２３、通信部３３を経て、グラフィックス制御部３５に渡される。グラフィックス制御部３５は、受け取った表示制御情報をビットマップ形式の表示情報に変換し、ビデオメモリ３４に格納し、ビデオメモリ３４から読み出して、表示ドライバ３６に送る。表示ドライバ３６は、ビットマップ形式の表示情報を液晶表示部３７用の信号に変換して液晶表示部３７に供給する。液晶表示部３７は、ビットマップ形式の表示情報を表示する。
【００２２】
通信部２３と通信部３３は、周知のＵＳＢインタフェースを利用し、ケーブルで伝送することができる。ＵＳＢインタフェースにおいて、送信元として携帯コンピュータ本体、送信先として、携帯表示装置を定義しておけばよい。本実施の形態では、通信部２３、３３は表示制御情報を扱うので、情報量が比較的少なくて済み、また、携帯コンピュータ本体２０として、汎用のノートパソコンを適用し、ソフトウェアを本発明の第１と第２の表示部を扱うものにすることにより、本発明を実現できる。
【００２３】
以上、本実施の形態によれば、第２の表示部が着脱可能であるので、セールス担当者と顧客など２人の位置関係の制約なく、商談を行なえる。セールス担当者と顧客は、それぞれ見易い位置で、自分用の表示を見ることができる。
【００２４】
また、セールス担当者が帰社したときには、第１の情報処理装置のみで業務を行なえる。多数のセールス担当者がおり、全員がセールスに出ない場合は、第２の情報処理装置の数を、第１の情報処理装置の数より少なくしてもよく、第２の情報処理装置を共用で使用することができる。
【００２５】
（実施の形態２）
図５は、本発明の情報処理装置のブロック図である。図５において、情報処理装置は、第１の情報処理装置である携帯コンピュータ本体２０と、第２の情報処理装置である携帯表示装置３０により構成される。携帯コンピュータ本体２０は、プログラム処理部２１、ビデオメモリ２４、グラフィックス制御部２５、表示ドライバ２６、第１の表示部である液晶表示部２７、通信部２３、インターネットインタフェース２２を備える。さらに、ビデオメモリ３４、グラフィックス制御部３５を備える。プログラム処理部２１、ビデオメモリ２４、グラフィックス制御部２５、ビデオメモリ３４、グラフィックス制御部３５、通信部２３は、バス２９を介して互いに結合され、データをやり取りする。一方、携帯表示装置３０は、通信部３３、表示ドライバ３６、第２の表示部である液晶表示部３７を備える。
【００２６】
プログラム処理部２１は、内部にＣＰＵ、ＲＯＭ、ＲＡＭ、ＨＤＤ、ＣＤ−ＲＯＭ装置、ＦＤＤ、キーボード、マウスを備えた周知のコンピュータシステムである。ＨＤＤ、ＣＤ−ＲＯＭ、ＦＤＤのいずれかの内部に記憶したプログラムとデータを用いて、種々の情報処理を行なえる。
【００２７】
プログラム処理部２１の情報処理によって作成された第１の表示制御情報は、バス２９を介して、グラフィックス制御部２５に渡される。グラフィックス制御部２５は、受け取った表示制御情報をビットマップ形式の表示情報に変換し、ビデオメモリ２４に格納し、ビデオメモリ２４から読み出して、表示ドライバ２６に送る。表示ドライバ２６は、ビットマップ形式の表示情報を液晶表示部２７用の信号に変換して液晶表示部２７に供給する。液晶表示部２７は、ビットマップ形式の表示情報を表示する。
【００２８】
プログラム処理部２１で情報処理によって作成された第２の表示制御情報は、グラフィックス制御部３５に渡される。グラフィックス制御部３５は、受け取った表示制御情報をビットマップ形式の表示情報に変換し、ビデオメモリ３４に格納する。グラフィックス制御部３５は、ビットマップ形式の表示情報をビデオメモリ３４から読み出して、通信部２３、通信部３３を経て、表示ドライバ３６に送る。表示ドライバ３６は、ビットマップ形式の表示情報を液晶表示部３７用の信号に変換して液晶表示部３７に供給する。液晶表示部３７は、ビットマップ形式の表示情報を表示する。
【００２９】
通信部２３と通信部３３の間は、デジタル形式のディスプレイインタフェースを利用し、ケーブルで伝送することができる。ビットマップ形式の表示情報は、データ量が多いので、比較的高速の通信となるが、携帯表示部３０の構成が簡単になる。デジタル形式のディスプレイインタフェースは、デジタル・ビジュアル・インタフェースなど、種々のものがあるので、それらを適用できる。
【００３０】
以上、本実施の形態によれば、第２の表示部が着脱可能であるので、セールス担当者と顧客など２人の位置関係の制約なく、商談を行なえる。セールス担当者と顧客は、それぞれ見易い位置で、自分用の表示を見ることができる。
【００３１】
（実施の形態３）
図４、図５のブロック図の構成において、プログラム処理部２１は、第１の表示用の表示制御情報と第２の表示用の表示制御情報を作成する。表示制御情報は、「指定の図形Ａを赤色で座標（Ｘ、Ｙ）に描け。」や、「直線Ｂを座標（Ｘ１、Ｙ１）から（Ｘ２、Ｙ２）まで黒色で引け。」というような情報を用いることが多い。これらの多数の表示制御情報を、グラフィックス制御部２５、３５に与えることにより、表示面積全体の表示画面を作成してゆく。
【００３２】
一方、本発明の用途の一つである保険商品の商談を例に取ると、表示情報は、「保険会社用」、「お客様用」、「両者用」に分類される。セールス担当者は、この３種類の情報を見ながら商談を進めるが、顧客には「お客様用」の情報のみを見せるようにする。「保険会社用」は、話題になっている保険商品に関する全ての、あるいは、詳しい情報が対象になる。とくに、一部の情報については、セールス担当者は見ることができるが、顧客には見せないようにしたい場合がある。「お客様用」は、相手の顧客の年齢や家族などに合わせた場合の情報が対象になることが多く、また、素人にも理解し易い簡略化した表示を行ないたい場合もある。「両者用」は、共通する情報が対象になる。プログラム処理部２１は、これらの情報を、保険商品販売アプリケーションプログラムの中で情報処理し、第１と第２の表示制御情報として、それぞれ、グラフィックス制御部２５と３５とに与える。
【００３３】
本発明では、このように、２つの表示制御情報を、効果的に作成するために、プログラム処理部２１内では、表示処理に関わる情報であるデータや命令に属性値を付与する。また、「指定の図形Ａを赤色で座標（Ｘ、Ｙ）に描け。」や、「直線Ｂを座標（Ｘ１、Ｙ１）から（Ｘ２、Ｙ２）まで黒色で引け。」というような表示制御情報にも属性値を付与する。属性値の一例は、「保険会社用」、「お客様用」、「両者用」である。「第１の表示用」、「第２の表示用」、「第１、２共用の表示用」としてもよい。このように、属性値を付与することにより、「両者用」、「第１、２共用の表示用」の情報処理を、２回行なうことなく１回で処理し、グラフィックス制御部２５、３５の両方に送り込める。また、「保険会社用」、「第１の表示用」の処理を行なう場合は、その属性値を参照しながら処理を進められるので、無駄な処理を削減できる。「お客様用」、「第２の表示用」についても、同様である。
【００３４】
保険商品販売アプリケーションプログラムの中で、上記表示制御情報を作成する際に、表示制御情報の作成を行なうために、汎用的に広く使用されている表示処理ソフトを利用する場合には、保険商品販売アプリケーションプログラムの処理過程で、汎用表示処理ソフトを必要に応じて呼び出して使用することになる。この時に保険商品販売アプリケーションプログラムが、汎用表示処理ソフトに渡す表示用のデータには、属性値が付与されているので、この属性値を所定のメモリに保存して、汎用表示処理ソフトを起動する。表示データの処理結果を得たら、上記所定のメモリを参照して、属性値をその処理結果に付与するようにする。処理結果は、作図命令などからなる。処理結果を、グラフィックス制御部２５、または、３５のどちらに送るかを判別するために、付与された属性値を使用する。
【００３５】
以上、本実施の形態において、プログラム処理部２１のＨＤＤやＲＡＭなどの情報格納部は、属性値を有する１以上の情報を格納することにより、無駄な処理なく、表示制御情報から第１と第２の２つの表示部用に表示情報を生成することができる。従って、第１の表示部と第２の表示部に表示する情報が異なるようにできるのでセールス担当者の意図した商談がやり易くなる。
【００３６】
また、本実施の形態において、属性値を用いることにより、異なる情報の表示が確実に効率よく行なえるようになる。
【００３７】
（実施の形態４）
図５の（実施の形態２）において、グラフィックス制御部２５と３５を統合して、ひとつのグラフィックス制御部に、２つの表示部用にビットマップ形式の表示情報を作成する機能を持たせ、ビデオメモリ２４、３４に、ビットマップ形式の表示情報を形成してゆくようにしてもよい。この場合も、統合されたグラフィックス制御部に供給する表示制御情報には、属性値の付加を行なっておき、ビデオメモリ２４、３４の区別ができるようにする。
【００３８】
（実施の形態５）
図５の（実施の形態２）において、ビデオメモリ２４、３４は、主記憶ＲＡＭの中に設ける方法もある。この際、属性値を付加して、記憶するようにしてもよい。グラフィックス制御部２５、３５、または、統合されたグラフィックス制御部は、ビデオメモリ２４、３４からビットマップ形式の表示情報を読み出す際に、属性値を調べ、表示情報を表示ドライバ２６と通信部２３に振り分けることになる。
【００３９】
（実施の形態６）
図４の（実施形態１）や、図５の（実施形態２）において、通信部２３、通信部３３を、赤外線通信方式、たとえば、ＩｒＤＡ方式として、ワイヤレスに伝送してもよい。また、無線通信方式を用いて、ワイヤレスにしてもよい。
【００４０】
（実施の形態７）
図６は、情報処理装置で表示するデータに、属性値を最初に付与する手順である。プログラム処理部２１内で扱うデータに対して、表示データか否かを判定する（Ｓ１０）。ＮＯであれば、表示に関係しないデータであるので、バイパスする。ＹＥＳの場合、（Ｓ１１）において、第１の表示用のデータかどうかを判定する。ＹＥＳなら、（Ｓ１２）において、第２の表示用のデータであるかどうか判定する。ＮＯなら、第１の表示用のみのデータであるので、（Ｓ１３）において、そのデータに第１の表示用の属性値を付与する。（Ｓ１２）において、ＹＥＳなら、第１と第２の両方の表示用のデータであるので、（Ｓ１４）において、そのデータに共用の表示用の属性値を付与する。（Ｓ１１）においてＮＯなら、（Ｓ１５）において、第２の表示用のデータであるかどうか判定する。（Ｓ１５）において、ＹＥＳなら、第２の表示用のみのデータであるので、（Ｓ１６）において、そのデータに第２の表示用の属性値を付与する。（Ｓ１５）において、ＮＯは通常生じないが、生じた場合は、バイパスする。以上の手順により、表示用に関係してくるデータに属性値を付与することができる。
【００４１】
次に、属性値を付与したデータを用いて、作図を指令する表示制御情報を作成する際の、属性値処理の手順について、図７のフローチャートにより説明する。表示制御情報の生成に入る前に、（Ｓ２０）において、与えられたデータが表示用かどうかを判定する。ＹＥＳなら、属性値が付与されているので、その属性値を、ＲＡＭ内の属性値メモリに記憶する（Ｓ２１）。ＮＯであれば、バイパスする。（Ｓ２１）において、属性値を、属性値メモリに記憶したあと、（Ｓ２２）において、そのデータを用いて、作図を指令する表示制御情報を生成する。（Ｓ２３）において、生成の完了を判定し、完了すれば（Ｓ２４）において、生成した表示制御情報に属性メモリ内の属性値を付与する。このようにすれば、属性値を扱うことのできない表示情報生成ソフトウェアを使用しても、属性値による表示制御情報の管理が行なえる。例えば、作成した表示制御情報に付与された属性値にしたがって、表示制御情報を２つのグラフィックス制御部２５、３５に振り分けることができる。
【００４２】
上記（実施の形態７）のように、属性値を有する１以上の情報を格納し、属性値に基づいて第１の表示部と第２の表示部用に、表示用の情報を生成する手順を有する情報処理方法とすることにより、表示用の情報の生成を効率的に行なうことができる。
【００４３】
（実施の形態８）
図８は、本発明の情報処理装置が表示制御情報から表示情報を生成する過程で、属性値を使用する場合における処理手順のフローチャートの例である。表示のために扱う情報は、属性値が付与されて、格納されている。（Ｓ３０）において、扱う情報が表示制御情報かどうか判定し、ＮＯであればバイパスする。ＹＥＳであれば、（Ｓ３１、Ｓ３４）において、属性値が、第１表示用、第２表示用、第１、２共用かを判定する。なお、（Ｓ３４）において、ＮＯであれば、属性値は第１、２共用である。第１表示用なら、（Ｓ３２）において、表示制御情報を、第１表示用の表示情報を生成するグラフィックス制御部２５に渡し、表示情報を生成する。生成した表示情報をビデオメモリ２４に格納し、ビデオメモリ２４を読み出して表示ドライバ２６に渡す（Ｓ３３）。（Ｓ３４）において、第２表示用であれば、（Ｓ３５）において、表示制御情報を、第２表示用の表示情報を生成するグラフィックス制御部３５に渡し、表示情報を生成する。（Ｓ３６）において、生成した表示情報をビデオメモリ３４に格納し、ビデオメモリ３４を読み出して表示ドライバ３６に渡す。（Ｓ３４）において共用なら、（Ｓ３７）、（Ｓ３８）において、共用の表示制御情報を両グラフィックス制御部２５、３５に渡し、両ビデオメモリ２４、３４に格納する。
【００４４】
なお、図４の実施の形態の場合は、グラフィックス制御部３５に渡す表示制御情報は、通信部２３、３３を介して渡される。図５の実施形態の場合は、ビデオメモリ３４から読み出された表示情報は、通信部２３、３３を通じて表示ドライバ３６に渡されることは言うまでもない。
【００４５】
上記（実施の形態８）のように、属性値を有する１以上の情報を格納ており、前記属性値に基づいて第１の表示部と前記第２の表示部用に、表示用の情報を生成する手順を有する情報処理方法とすることにより、表示用の情報の生成を効率的に行なうことができる。
【００４６】
（実施の形態９）
図９は、本発明の情報処理装置が表示制御情報から表示情報を生成する過程で、属性値を使用する場合における処理手順を説明するフローチャートである。表示のために扱う情報は、属性値が付与されて、格納されている。（Ｓ４０）において、扱う情報が表示制御情報かどうか判定し、ＮＯであればバイパスする。ＹＥＳであれば、（Ｓ４１）において、属性値をメモリに一時記憶する。（Ｓ４２）において、表示制御情報から表示情報を生成する。（Ｓ４３）において、一時記憶した属性値を判別し、第１表示用なら、第１の表示用のビデオメモリに格納する。第２表示用なら、第２の表示用のビデオメモリに格納する。第１、２共用なら、第１の表示用のビデオメモリと第２の表示用のビデオメモリに格納する。この処理手順では、（Ｓ４２）において、コンピュータプログラムで実現するソフトウェアを呼び出して、グラフィックス制御部２５、３４の機能を実現する場合に適用することができる。
【００４７】
上記（実施の形態９）のように、属性値を有する１以上の情報を格納しており、属性値に基づいて第１の表示部と第２の表示部用に、表示用の情報を生成する手順を有する情報処理方法を行うことにより、表示用の情報の生成を効率的に行なうことができる。
【００４８】
なお、本発明の属性値の処理手順および属性値を用いた表示制御情報や表示情報の処理手順は、コンピュータに実行させるプログラムとすることができることは言うまでもない。また、当該プログラムは、記録媒体に格納することができる。記録媒体は、プログラムを記録したＲＯＭ、ＲＡＭ、フレキシブルディスク、ＣＤ−ＲＯＭ、ＤＶＤ、メモリカード、ハードディスクなどの記録媒体をいう。また、電話回線、搬送路などの通信媒体も含む概念である。図４、図５において、前記プログラムとセールスに用いる表示用のデータを、インターネットインタフェース２２を介して、通信媒体であるインターネット網より入手して、上記各実施の形態において説明した第１の表示部と第２の表示部の表示を行なうようにしてもよい。
【００４９】
【発明の効果】
以上のように、本発明によれば、第２の表示部が着脱可能であるので、セールス担当者と顧客など２人の位置関係の制約なく、商談を行なえる。セールス担当者と顧客は、それぞれ見易い位置で、自分用の表示を見ることができる。
【図面の簡単な説明】
【図１】本発明の一実施形態による携帯コンピュータおよび携帯表示装置の外観図
【図２】本発明の一実施形態による携帯コンピュータおよび携帯表示装置の外観図
【図３】本発明の一実施形態による携帯コンピュータおよび携帯表示装置の着脱機構の断面図
【図４】本発明の一実施形態による携帯コンピュータおよび携帯表示装置のブロック図
【図５】本発明の一実施形態による携帯コンピュータおよび携帯表示装置のブロック図
【図６】本発明の一実施形態による携帯コンピュータおよび携帯表示装置における属性値付与処理のフローチャート
【図７】本発明の一実施形態による携帯コンピュータおよび携帯表示装置において表示制御情報を属性値に従い処理するフローチャート
【図８】本発明の一実施形態による携帯コンピュータおよび携帯表示装置における属性値による表示情報処理のフローチャート
【図９】本発明の一実施形態による携帯コンピュータおよび携帯表示装置における属性値による表示情報処理のフローチャート
【符号の説明】
１  携帯コンピュータ基体部
２  キーボード
３  表示部
４、６  液晶パネル
５  携帯表示装置
７  着脱機構
８  支持機構
９  ヒンジ
１０  空洞
１１  球体部
１２  円柱部
２０  携帯コンピュータ本体
２１  プログラム処理部
２２  インターネットインタフェース
２３、３３  通信部
２４、３４  ビデオメモリ
２５、３５  グラフィックス制御部
２６、３６  表示ドライバ
２７、３７  液晶表示部
３０  携帯表示部
１００  携帯コンピュータ本体
２００  携帯表示装置
【図１】
2004164109.tif 000003
【図２】
2004164109.tif 000004
【図３】
2004164109.tif 000005
【図４】
2004164109.tif 000006
【図５】
2004164109.tif 000007
【図６】
2004164109.tif 000008
【図７】
2004164109.tif 000009
【図８】
2004164109.tif 000010
【図９】
2004164109.tif 000011